(57)【要約】【課題】  動力源に依存することなく、簡単な操作で、１時間後における当該ダム水系への流入する雨水量を容易に計算できるようにする。【解決手段】  直径Ｄ１を有した基本円板１１と、これよりも小さな直径Ｄ２を有して同軸を中心に回転自在に係合された可動円板２１とを備え、基本円板１１には、貯留関数法を用いて算出された単位時間経過後の雨水流入量を示す数値を可動円板２１の円周方向に沿った目盛りに記した予想流入量表示部１２と、この内周側の同心円方向に沿って現在のダム流入量を示す数値を目盛りに記したダム流入量表示部１３とが設けられ、可動円板２１には、ダム流入量表示部１２の現在のダム流入量を当該可動円板側から読み取るための窓部２２と、３時間前から現在に至るまでの平均降雨量を示す数値を予想流入量表示部１２と対峙する当該可動円板２１の円周方向に沿った目盛りに記された降雨量表示部２３とが設けられるものである。【選択図】        図１
2007140581.tif 000002
【特許請求の範囲】
【請求項１】
第１の径を有した第１の円板と、
前記第１の円板よりも小さな第２の径を有して同軸を中心に回転自在に係合された第２の円板とを備え、
前記第１の円板には、
貯留関数法を用いて算出された単位時間経過後の雨水流入量を示す数値を前記第２の円板の円周方向に沿った目盛りに記した予想流入量表示部と、
前記予想流入量表示部の内周側の同心円方向に沿って現在のダム流入量を示す数値を目盛りに記したダム流入量表示部とが設けられ、
前記第２の円板には、
前記ダム流入量表示部の現在のダム流入量を当該第２の円板側から読み取るための窓部と、
単位時間前から現在に至るまでの降雨量を示す数値を前記予想流入量表示部と対峙する当該第２の円板の円周方向に沿った目盛りに記した降雨量表示部とが設けられることを特徴とする流入量簡易計算器。
【請求項２】
前記窓部は、
前記第１の円板のダム流入量表示部に対応した前記第２の円板の所定の位置に扇状に開口され、
前記窓部に第１の円板に目盛りに記された前記ダム流入量表示部が露出するようになされ、
前記第２の円板には、
前記窓部に露出された前記ダム流入量表示部の目盛りを指す指針が設けられることを特徴とする請求項１記載の流入量簡易計算器。
【請求項３】
前記第２の円板の指針を前記ダム流入量表示部の目盛りに記された数値に合わせたときの、前記降雨量表示部の目盛りに一致する前記予想流入量表示部の数値が１時間後における流入量とする計算結果値を読み取られることを特徴とする請求項１記載の流入量簡易計算器。
【請求項４】
ダム水系流域の地域的地形に応じて前記予想流入量表示部、ダム流入量表示部及び降雨量表示部の目盛り間隔と予測時間とが設定されることを特徴とする請求項１記載の流入量簡易計算器。
【発明の詳細な説明】
【技術分野】
【０００１】
本発明は、簡単な操作で、１時間後における当該ダムへ流入する雨水量（以下ダム流入量という）が予測可能な携帯型の好適な流入量簡易計算器に関する。詳しくは、貯留関数法を用いて算出された単位時間経過後の雨水流入量を示す数値が円周方向に沿った目盛りに記された予想流入量表示部と、この内周側の同心円方向に沿って現在のダム流入量を示す数値が目盛りに記されたダム流入量表示部とが設けられた第１の円板と、この第１の円板に設けられたダム流入量表示部の現在の流入量を読み取るための窓部と、単位時間前から現在に至るまでの降雨量を示す数値が予想流入量表示部と対峙するように、その円周方向に沿った目盛りに記された降雨量表示部とが設けられた第２の円板とが同軸を中心に回転自在に係合された構造を有して、第２の円板の指針を窓部を通して、ダム流入量表示部に目盛りに記された数値を合わせたときの、降雨量表示部の目盛りに一致する予想流入量表示部の値が１時間後におけるダム水系へ流入する雨水量とする計算結果値を取得できるようにしたものである。
【背景技術】
【０００２】
従来から水力発電等を行うために設けられたダムの水資源管理において、最も重要なダム管理業務の１つとして、洪水時における放流用ゲートの開閉管理を挙げることができる。
【０００３】
通常、この種のダムには複数門、例えば１〜４門の放流用ゲートが設けられ、ダム水系流域からの流入量を予測して放流用ゲートの開閉操作を行っている。このゲートの開閉操作については、下流域の危険防止を目的として、下流域での急激な水位上昇が起きないように、河川法に基づき各ダム毎に定められた操作規程によって放流用ゲートの開閉操作を行っている。このゲート開閉操作に当たって、安全で確実なゲート操作を行うには、ダムに流入する流入量の経時的な予測が重要になる。
【０００４】
現在では、下記に示す貯留関数法を用いてダム水系流域からの流入量Ｓの予測を行っている。
【０００５】
【数１】
2007140581.tif 000003
ここに、
Ｓ：みかけの流域貯留量  （ｍ3／ｓ・ｈｒ）
Ｑ：遅滞時間を考慮した直接流出量［ダム流入量］（ｍ3／ｓ）
ｆ  ：流入係数
ｒａｖｅ：流域平均雨量（ｍｍ）
Ａ  ：流域面積（ｋｍ2）
Ｔ：遅滞時間（ｈｒ）
Ｋ，Ｐ：定数
上述のダム水系流域の貯留関数法に係る定数Ｋ，Ｐ及び遅滞時間Ｔは、原則として当該流域の実測洪水資料に基づき、貯留量Ｓと流入量Ｑとの関係が一価関係となるように決定される。洪水毎に定数Ｋ，Ｐ，Ｔを求め、その平均値をもって当該流域の定数となされる。
【０００６】
貯留関数法を用いて、流入量Ｓの予測を行うには、上述の計算式（１）〜（３）に基づく演算を実行するソフトウエアが必要であるため、この流入量予測システムを搭載した端末装置（パソコン）を用いて予測処理を行っている。このような端末装置は、例えば、特許文献１〜３に示され、既に知られている。
【０００７】
特許文献１にはダム流入量予測方法が開示されている。このダム流入予測方法によれば、コンピュータを使用して、上流ダムから計画的に放流される河川の下流ダムにおける流入量を予測するようになされる。
【０００８】
特許文献２にはダム流入量予測モデル構築方法が開示されている。この構築方法によれば、コンピュータを使用し、過去の実績値データを用いて、ダム流入量予測モデルを構築するようになされる。
【０００９】
特許文献３にはダム流入量予測モデル構築装置が開示されている。この構築装置によれば、コンピュータ（以下端末装置ともいう）を使用し、コンピュータプログラムを用いて、ダム流入量予測モデルを構築するようになされる。
【００１０】
【特許文献１】特開平    ５−２９７９０９号公報
【特許文献２】特開２０００−０１８９８４号公報
【特許文献３】特開２００４−１２６８３２号公報
【発明の開示】
【発明が解決しようとする課題】
【００１１】
ところで、このような端末装置を用いて流入量の予測を行う場合、特許文献１〜３に示すように端末装置を起動しなければならないが、当該端末装置を常に正常に稼働できるとは限らない。端末装置にトラブルが発生したり、充分な動作電源が確保できない場合には、流入量予測システムを応用した流入量予測を実行できなくなるからである。
【００１２】
更に、このような端末装置を使用する場合、常に端末装置若しくは流入量予測システムをストアした記録媒体を携帯する必要があり、現場に出向いてその場で直ぐに予測するような機動性を確保できていないのが現状である。もっと簡便で、しかも誰にでも流入量の予測が可能なものが望まれるところである。しかも、ダムが違ってもこの予測手段を利用できた方が好ましい。
【００１３】
そこで、この発明はこのような従来の課題を解決したものであって、動力源を依存することなく、簡単な操作で、１時間後における当該ダム水系へ流入する雨水量を容易に計算できるようにした流入量簡易計算器を提供することを目的とする。
【課題を解決するための手段】
【００１４】
上述した課題を解決する本発明の流入量簡易計算器は、第１の径を有した第１の円板と、第１の円板よりも小さな第２の径を有して同軸を中心に回転自在に係合された第２の円板とを備え、第１の円板には、貯留関数法を用いて算出された単位時間経過後の雨水流入量を示す数値を第２の円板の円周方向に沿った目盛りに記した予想流入量表示部と、予想流入量表示部の内周側の同心円方向に沿って現在のダム流入量を示す数値を目盛りに記したダム流入量表示部とが設けられ、第２の円板には、ダム流入量表示部の現在のダム流入量を当該第２の円板側から読み取るための窓部と、単位時間前から現在に至るまでの降雨量を示す数値を予想流入量表示部と対峙する当該第２の円板の円周方向に沿った目盛りに記された降雨量表示部とが設けられることを特徴とするものである。
【００１５】
本発明に係る流入量簡易計算器によれば、貯留関数法を用いて算出された単位時間経過後の雨水流入量を示す数値が第２の円板の円周方向に沿った目盛りに記された予想流入量表示部と、この予想流入量表示部の内周側の同心円方向に沿って現在のダム流入量を示す数値が目盛りに記されたダム流入量表示部とが設けられた第１の円板と、この第１の円板に設けられたダム流入量表示部の現在の流入量を読み取るための窓部と、単位時間前から現在に至るまでの降雨量を示す数値を第１の円板の予想流入量表示部と対峙する当該円板の円周方向に沿った目盛りに記した降雨量表示部とが設けられた第２の円板とが同軸を中心に回転自在に係合された構造を有するものである。
【００１６】
従って、第２の円板の指針を窓部を通して、ダム流入量表示部の目盛りに記された数値を合わせたときの、降雨量表示部の目盛りに一致する予想流入量表示部の値が１時間後におけるダム流入量とする計算結果値を取得できるようになる。この計算結果値により、１時間後におけるダム水系へ流入する雨水量（貯水量）を予測できるようになる。しかも、動力源を一切使用しない携帯便利なダム流入量簡易予測器を提供できるようになる。
【発明の効果】
【００１７】
本発明に係る流入量簡易計算器によれば、貯留関数法を用いて算出された単位時間経過後の雨水流入量を示す数値を第２の円板の円周方向に沿った目盛りに記した予想流入量表示部と、この内周側の同心円方向に沿って現在のダム流入量を示す数値を目盛りに記したダム流入量表示部とが設けられた第１の円板と、この第１の円板に設けられたダム流入量表示部の現在の流入量を読み取るための窓部と、単位時間前から現在に至るまでの降雨量を示す数値を第１の円板の予想流入量表示部と対峙する当該円板の円周方向に沿った目盛りに記した降雨量表示部とが設けられた第２の円板とが同軸を中心に回転自在に係合された構造を有するものである。
【００１８】
この構成によって、第２の円板の指針を窓部を通して、ダム流入量表示部の目盛りに記された数値を合わせたときの、降雨量表示部の目盛りに一致する予想流入量表示部の値が１時間後におけるダム流入量とする計算結果値を容易に取得できるようになる。
【００１９】
従って、１時間後におけるダム水系への雨水流入量（貯水量）を予測できるようになる。しかも、予想流入量表示部や降雨量表示部は、いずれも貯留関数法を用いて記述されているので、予想流入量ソフトを用いて算出した場合と殆ど遜色のない精度でダムへの流入量を予測できる。
【００２０】
また、当該予測器では、コンピュータを搭載した端末装置を用いることなく、１時間後におけるダム流入量を素早く求めることができるから、特別な知識・技能を有しなくても誰でも利用できる特徴を有する。更に、その構成も２つの円板を用いるだけであるので、極めて小型、軽量、可搬性に富み、使用する場所の制限を受けないなどの大きな特徴を有する。
【００２１】
また、計測すべきダムの水系に合わせて表示目盛りを変更するだけで、そのダムに適した流入量簡易計算器を構成できるため、汎用性の高い二級ダム流入量簡易予測器等を提供できる。なお、２つの円板をプラスチック材で構成すれば、耐久性に優れた流入量簡易計算器を提供できる。しかも、動力源を一切使用しない携帯便利な二級ダム流入量予測器を提供できる。
【発明を実施するための最良の形態】
【００２２】
続いて、この発明に係る流入量簡易計算器について、図面を参照しながら説明をする。
図１は、本発明に係る流入量簡易計算器を応用した実施の形態としての二級ダム流入量予測器１０の構成例を示す図である。  
この実施の形態では、同軸上を回転する２つの円板を設け、一方には予想流入量表示部の目盛りと降雨量表示部の目盛りとを同心円上に配置すると共に、他方の円板にダムへの流量表示部の目盛りを記すことによって、ダム流量表示用の目盛りに指針を合わせたときの予想流入量部の目盛りによって、１時間後のダムへの流入量の計算結果値を取得できるようにしたものである。
【００２３】
図１に示す二級ダム流入量予測器１は、本発明の流入量簡易計算器の一例であり、基本円板１１と可動円板２１とが同軸中心でハトメ（係合金具）３１により、回転自在に係合されて構成される。
【００２４】
基本円板１１は第１の円板の一例を構成し、第１の直径Ｄ１を有している。直径Ｄ１は、例えば、２０ｃｍ程度である。もちろん、この寸法に限られることはない。可搬性を考慮した大きさが好ましい。この例で、基本円板１１の中心を原点”Ｏ”とし、この原点”Ｏ”を回転中心とする。
【００２５】
基本円板１１には、予想流入量表示部１２とダム流入量表示部１３とが設けられている。予想流入量表示部１２には、貯留関数法を用いて算出された単位時間経過後の雨水流入量を示す数値が可動円板２１の円周方向に沿った目盛りに記されている。ダム流入量表示部１３には、予想流入量表示部１２の内周側の同心円方向に沿って現在のダム流入量（ダムの水位としての流量；貯留量）を示す数値が目盛りに記されている。
【００２６】
可動円板２１は、第２の円板の一例を構成し、基本円板１１よりも小さな第２の直径Ｄ２を有している。この例で直径Ｄ２は、１４ｃｍ程度である。もちろん、これに限られることはない。基本円板１１の直径Ｄ１が定まると可動円板２１の直径Ｄ２がほぼ決まる大きさである（この例でＤ１：Ｄ２＝１０：７）。
【００２７】
可動円板２１には、窓部２２と降雨量表示部２３とが設けられている。窓部２２は、ダム流入量表示部１３の現在のダム流入量を当該可動円板側から読み取るために開口されている。この例で窓部２２は、基本円板１１のダム流入量表示部１３に対応した可動円板２１の所定の位置に扇状に開口され、窓部２２に基本円板１１の目盛りに記されたダム流入量表示部１３が露出するようになされる。可動円板２１には、窓部２２に露出されたダム流入量表示部１３の目盛りを指す指針２４が設けられる。指針２４は矢印で記され、例えば、図１に示す原点”Ｏ”と扇状の窓部２２の中心を結ぶ線上に配置される。
【００２８】
降雨量表示部２３には、単位時間前から現在に至るまでの降雨量を示す数値が予想流入量表示部１２と対峙するように当該可動円板２１の円周方向に沿った目盛りに記されている。この例で降雨量表示部２３には、３時間前から現在に至るまでの３時間平均雨量を示す数値が記されている。これは二級ダム流域では、他のダム流域に比べて流域面積が広く、ため池も多いという特殊条件を有していること、及び、現時点の流入量と雨量により１時間後の流入量を予測する場合に、洪水予測雨量に関して３時間平均雨量［ｍｍ／ｈｒ］が最適であることによる。
【００２９】
上述の基本円板１１や可動円板２１等の材質は、厚手の白いボール紙にビニールをコーティングしたものである。もちろん、これに限られることはない。白のアクリル樹脂や、白のプラスチックを使用してもよい。ビニールは、基本円板１１や可動円板２１等を成すボール紙に目盛りを印字した後に被覆され熱処理されて定着される。
【００３０】
次に、二級ダムにおける流入量の計算方法について説明する。この例では、現時点の流入量と３時間前から現在までの雨量の３時間平均雨量と、基底流量（雨が降り始める前の流量）とによって１時間後の流入量を予測する場合を例に挙げる。
【００３１】
二級ダム流域では遅滞時間Ｔは１ｈｒとなっているので、現時点での流入量と３時間前から現時点までの雨量とにより１時間後のダム流入量を推算する。
【００３２】
先に説明した貯留関数法の（２）式を差分式に書き改めると（４）式のようになる。
【００３３】
【数２】
2007140581.tif 000004
ここで、
Ａ：流域面積（ｋｍ2）
Δｔ：計算単位時間（ｈｒ）
Ｑ：直接流出量［ダム流入量］（ｍ3／ｓ）
Ｓ：みかけの貯留量（ｍ3／ｓ・ｈｒ）
ｔ，ｔ＋３：時刻
ｆ：流入係数
ｒ：流域平均雨量（ｍｍ／ｈｒ）
である。
【００３４】
図２は、二級ダム流量計算に係る流域流入量対流域平均降雨量の関係例を示すグラフ図である。  
図２において、縦軸は、流域流入量Ｉ＝１・ｆ・ｒ・Ａ／３．６であり、等分目盛りである。横軸は、流域平均雨量［ｍｍ／ｈｒ］であり、等分目盛りである。直線は、流入係数ｆをパラメータにして、流域流入量Ｉ＝１・ｆ・ｒ・Ａ／３．６と、流域平均雨量［ｍｍ／ｈｒ］との関係を求めたものである。流入係数ｆは、０．１〜１．２の１２通りである。この実施例では、二級ダム流入量予測器１を作成する際にｆ＝流入係数０．７１をとっている。
【００３５】
図３は、二級ダム流量計算に係る流量（Ｓ／Δｔ）−（Ｑ／２）、（Ｓ／Δｔ）＋（Ｑ／２）と、流入量Ｑ［ｍ3／ｓ］との関係例を示すグラフ図である。
【００３６】
図３に示す縦軸は、貯留関数法における流量（Ｓ／Δｔ）−（Ｑ／２）、（Ｓ／Δｔ）＋（Ｑ／２）であり、いずれも等分目盛りである。単位はいずれも［ｍ3／ｓ］である。流量（Ｓ／Δｔ）−（Ｑ／２）、（Ｓ／Δｔ）＋（Ｑ／２）はいずれも１０００［ｍ3／ｓ］刻みに記している。
【００３７】
横軸は、直接流出量Ｑ［ｍ3／ｓ］であり、等分目盛りである。直接流出量Ｑ［ｍ3／ｓ］は１００［ｍ3／ｓ］刻みに記している。この例で８４０［ｍ3／ｓ］は設計洪水量である。設計洪水量とは当該ダム水系流域で洪水を起こす流入量（貯水量）である。
【００３８】
グラフ（Ｉ）は、流量（Ｓ／Δｔ）−（Ｑ／２）［ｍ3／ｓ］と直接流出量Ｑ［ｍ3／ｓ］との関係を求めたものである。グラフ（II）は、流量（Ｓ／Δｔ）＋（Ｑ／２）と直接流出量Ｑ［ｍ3／ｓ］との関係を求めたものである。
【００３９】
＜使用例＞
ここで、上述した図２及び図３のグラフを使用して、次の条件下での１時間経過後の予想流入量を求める場合を説明する。
【００４０】
予想流入力量の算出条件は、現在の流入量を２５０［ｍ3／ｓ］とし、３時間前からの現時点での雨量を１０，１５，２０［ｍｍ／ｈｒ］とし、基底流量（雨が降り始める前の流量）を１０［ｍ3／ｓ］とし、流入係数ｆを０．７１とする。図２及び図３のグラフを使用した算出例によれば、まず、３時間の平均降雨量（１０＋１５＋２０）／３＝１５［ｍｍ／ｈｒ］を算出する。
【００４１】
次に、図２に示した流域流入量対流域平均降雨量の関係例において、平均降雨量ｒに１５［ｍｍ／ｈｒ］を与え、流入係数０．７１のときの、流域流入量Ｉ＝１・ｆ・ｒ・Ａ／３．６を読み取る。この例では、Ｉ＝６８６［ｍ3／ｓ］である。現時点の流入量は、現在の流入量−基底流量で与えられるので、２５０−１０＝２４０［ｍ3／ｓ］となる。
【００４２】
次に、図３に示した流量（Ｓ／Δｔ）−（Ｑ／２）、（Ｓ／Δｔ）＋（Ｑ／２）と直接流出量Ｑ［ｍ3／ｓ］との関係例において、現時点の流入量の値＝２４０［ｍ3／ｓ］を横軸に与えて（Ｉ）のグラフとの交点を求める。この交点の値（真上）にＩ＝６８６［ｍ3／ｓ］を加え、（II）のグラフの曲線との交点を求める。この交点の座標値を読む。この座標値を読みと、流入量＝２９８［ｍ3／ｓ］が得られる。このように求められた流入量＝２９８［ｍ3／ｓ］の値に基底流量＝１０［ｍ3／ｓ］を加えると、２９８＋１０＝３０８［ｍ3／ｓ］が得られる。これが１時間経過後の予想流入量である。
【００４３】
このように、図２及び図３のグラフを使用して、上記の条件における１時間経過後の予想流入量を求める方法は、手間がかかるもののである。本発明の二級ダム流量予測器１は、このような手間を解消するべく貯留関数法による予測資料をもとに作成されたもので、その形状は図１に示した通りである。
【００４４】
図４は、基本円板１１の構成例を示す平面図である。図４に示す基本円板１１の中心部には軸孔１１ａが開口されている。
【００４５】
予想流入量表示部１２を成す第１の同心円上には、直接流出量［ダム流入量］をＱ［ｍ3／ｓ］とし、みかけの貯留量をＳ［ｍ3／ｓ・ｈｒ］とし、計算単位時間をΔｔ［ｈｒ］としたとき、貯留関数法を用いて算出された（Ｓ／Δｔ）＋（Ｑ／２）を１時間後の予想流入量［ｍ3／ｓ］とする数値が目盛りに記されている。１０［ｍ3／ｓ］は基底流量である。予想流入量［ｍ3／ｓ］は、１０［ｍ3／ｓ］刻みに基底流量＝１０［ｍ3／ｓ］から最大９００［ｍ3／ｓ］に至る目盛りに記されている。
【００４６】
ダム流入量表示部１３を成す第２の同心円上には、貯留関数法を用いて算出された（Ｓ／Δｔ）−（Ｑ／２）を現在の流入量（Ａ）とする数値が目盛りに記されている。１０［ｍ3／ｓ］は基底流量である。現在の流入量［ｍ3／ｓ］は、１０［ｍ3／ｓ］刻みに基底流量＝１０［ｍ3／ｓ］から最大９００［ｍ3／ｓ］に至る目盛りに記されている。
【００４７】
なお、予想流入量表示部１２の基底流量＝１０［ｍ3／ｓ］の目盛りと、ダム流入量表示部１３の基底流量＝１０［ｍ3／ｓ］の目盛りとは、同一半径方向の線上に配置され、それら基点が揃えられている。
【００４８】
図５は、可動円板２１の構成例を示す平面図である。図５に示す可動円板２１の中心部には軸孔２１ａが開口されている。また、降雨量表示部２３を成す当該可動円板２１の右半円周部分には、３時間前から現在までの雨量の３時間平均雨量とする数値が目盛りに記されている。３時間平均雨量［ｍｍ／ｈｒ］は、等分目盛りに記されており、例えば、５［ｍｍ／ｈｒ］刻みに０［ｍｍ／ｈｒ］から８０［ｍｍ／ｈｒ］に至る分だけ目盛りに記されている。この例で、矢印で記した指針２４は、窓部２２を介してその延長線上に、降雨量表示部２３の０［ｍｍ／ｈｒ］を指すように配置されている。
【００４９】
この例では、流入係数をｆとし、３時間平均雨量［ｍｍ／ｈｒ］を流域平均雨量ｒ［ｍｍ／ｈｒ］とし、流域平均雨量をｒ［ｍｍ／ｈｒ］とし、流域面積をＡ［ｋｍ2］とし、流域流入量をＩとしたとき、貯留関数法を用いて算出されたＩ＝１・ｆ・ｒ・Ａ／３．６）と、ダム流入量表示部１３で選択された現在の流入量である（Ｓ／Δｔ）−（Ｑ／２）とを加算した計算結果値が予想流入量表示部１２を成す直接流出量［ダム流入量］Ｑ［ｍ3／ｓ］として直に読み取るように二級ダム流入量予測器１０が構成されている。なお、予想流入量表示部１２、ダム流入量表示部１３及び降雨量表示部２３の目盛り間隔と予測時間は、ダム水系流域の地域的地形に応じて設定される。
【００５０】
図６Ａ〜Ｃは、二級ダム流入量予測器の組立例を示す工程図である。図６Ａに示すように、まず、係合用のハトメ３１と、直径Ｄ１を有した基本円板１１と、基本円板１１よりも小さな直径Ｄ２を有した可動円板２１とを準備する。基本円板１１は図４に示したように作成する。例えば、矩形状の材料から円形状に基本円板１１を切出す。ここに切出された基本円板１１の中心部を開口して軸孔１１ａを形成する。
【００５１】
その後、基本円板１１に目盛りを付ける。例えば、図４に示した第１の同心円Ｄ１１上に、貯留関数法を用いて算出された（Ｓ／Δｔ）＋（Ｑ／２）を１時間後の予想流入量［ｍ3／ｓ］とする数値を目盛りに記して予想流入量表示部１２を形成する。基底流量を１０［ｍ3／ｓ］として、１０［ｍ3／ｓ］刻みに１０［ｍ3／ｓ］から最大９００［ｍ3／ｓ］に至る目盛りを記して予想流入量［ｍ3／ｓ］とする。予想流入量Ｑ＝９００ｍ3／ｓの場合の（Ｓ／Δｔ）＋（Ｑ／２）＝７，６００ｍ3／ｓを３４０度にとり、それぞれの値が目盛りに記してある。
【００５２】
また、第２の同心円Ｄ１２上には、貯留関数法を用いて算出された（Ｓ／Δｔ）−（Ｑ／２）を現在の流入量とする数値を目盛りに記して、ダム流入量表示部１３を形成する。基底流量を１０［ｍ3／ｓ］として、１０［ｍ3／ｓ］刻みに１０［ｍ3／ｓ］から最大９００［ｍ3／ｓ］に至る目盛りを記して現在の流入量［ｍ3／ｓ］とする。なお、予想流入量表示部１２の基底流量＝１０［ｍ3／ｓ］の目盛りと、ダム流入量表示部１３の基底流量＝１０［ｍ3／ｓ］の目盛りとを同一半径方向の線上に配置して、それら基点を揃えるようにする。
【００５３】
可動円板２１は、図５に示したように作成する。例えば、矩形状の材料から円形状に可動円板２１を切出す。ここに切出された可動円板２１の中心部を開口して軸孔２１ａを形成する。可動円板２１の所定の位置に窓部２２を開口する。窓部２２の開口形状は、扇状となされる。この窓部２２は、ダム流入量表示部１３の現在のダム流入量を当該可動円板側から読み取るためである。窓部２２の扇状の大きさは、基本円板１１の目盛りに記されたダム流入量表示部１３が露出する程度の開口面積を有していればよい。
【００５４】
また、当該可動円板２１の右半円周部分に、３時間前から現在までの雨量の３時間平均雨量とする数値を目盛りに記して降雨量表示部２３を形成する。３時間平均雨量［ｍｍ／ｈｒ］は、等分目盛りに記すようにする。例えば、５［ｍｍ／ｈｒ］刻みに０［ｍｍ／ｈｒ］から８０［ｍｍ／ｈｒ］に至る分だけ目盛りに記す。この例で、可動円板２１の所定の位置に、指針２４を矢印で記すようにする。この位置は、窓部２２を介してその延長線上に、降雨量表示部２３の０［ｍｍ／ｈｒ］を指すように位置決めする。
【００５５】
次に、図６Ｂに示すように、基本円板１１と可動円板２１とを同軸中心に位置合わせをする。このとき、基本円板１１の軸孔１１ａと可動円板２１の軸孔２１ａとが一致するように重ね合わせる。
【００５６】
その後、図６Ｃに示すように、基本円板１１と可動円板２１とを同軸中心でハトメ３１により、回転自在に係合する。これにより、図１に示したような二級ダム流入量予測器１０が完成する。
【００５７】
続いて、二級ダム流入量予測器１０の使用例について説明する。図７は、現在の流入量＝５０ｍ3／ｓ時の予想流入量読取例を示す平面図である。
【００５８】
この例で、可動円板２１の指針２４をダム流入量表示部１３に目盛りに記された数値を合わせたときの、降雨量表示部２３の目盛りに一致する予想流入量表示部１２の数値が１時間後における流入量とする計算結果値を読み取るようになされており、流入量を容易かつ簡易に予測できるようになっている。
【００５９】
図７に示す例では、現在の流入量＝５０ｍ3／ｓに合わせたときの、「３時間前から現在までの３時間平均雨量［ｍｍ／ｈｒ］」において、Ｉａのケースでは、例えば、当該ダム水系流域に、ごく普通に雨が降って、３時間前から現在までの３時間平均雨量が２０［ｍｍ／ｈｒ］となった場合であって、その場合の１時間後におけるダム流入量を予測する場合に、降雨量表示部２３の目盛り２０［ｍｍ／ｈｒ］に一致する予想流入量表示部１２の数値＝１１０ｍ3／ｓを読み取ることで、１時間後におけるダム流入量となる計算結果値を取得でき、ダムの水位としての流入量（貯水量）を予測することができる。
【００６０】
また、IIａのケースでは、当該ダム水系流域が激しい雨に見舞われ、３時間前から現在までの３時間平均雨量が５７［ｍｍ／ｈｒ］となった場合であって、その場合の１時間後におけるダム流入量を予測する場合に、降雨量表示部２３の目盛り５７［ｍｍ／ｈｒ］に一致する予想流入量表示部１２の数値＝３００ｍ3／ｓを読み取ることで、１時間後におけるダム流入量となる計算結果値を取得でき、ダムの水位としての流入量（貯水量）を予測することができる。
【００６１】
更に、IIIａのケースでは、当該ダム水系流域が集中豪雨に見舞われ、３時間前から現在までの３時間平均雨量が８０［ｍｍ／ｈｒ］となった場合であって、その場合の１時間後におけるダム流入量を予測する場合に、降雨量表示部２３の目盛り８０［ｍｍ／ｈｒ］に一致する予想流入量表示部１２の数値＝４６０ｍ3／ｓを読み取ることで、１時間後におけるダム流入量となる計算結果値を取得でき、ダムの水位としての流入量（貯水量）を予測することができる。
【００６２】
図８は、現在の流入量＝１００ｍ3／ｓ時の予想流入量読取例を示す平面図である。  
図８に示す例では、現在の流入量＝１００ｍ3／ｓに合わせたときの、「３時間前から現在までの３時間平均雨量［ｍｍ／ｈｒ］」において、Ｉｂのケースでは、例えば、当該ダム水系流域に、ごく普通に雨が降って、３時間前から現在までの３時間平均雨量が３０［ｍｍ／ｈｒ］となった場合であって、その場合の１時間後におけるダム流入量を予測する場合に、降雨量表示部２３の目盛り３０［ｍｍ／ｈｒ］に一致する予想流入量表示部１２の数値＝２３０ｍ3／ｓを読み取ることで、１時間後におけるダム流入量となる計算結果値を取得でき、ダムの水位としての流入量（貯水量）を予測することができる。
【００６３】
また、IIｂのケースでは、当該ダム水系流域が激しい雨に見舞われ、３時間前から現在までの３時間平均雨量が４５［ｍｍ／ｈｒ］となった場合であって、その場合の１時間後におけるダム流入量を予測する場合に、降雨量表示部２３の目盛り４５［ｍｍ／ｈｒ］に一致する予想流入量表示部１２の数値＝３２０ｍ3／ｓを読み取ることで、１時間後におけるダム流入量となる計算結果値を取得でき、ダムの水位としての流入量（貯水量）を予測することができる。
【００６４】
更に、IIIｂのケースでは、当該ダム水系流域が集中豪雨に見舞われ、３時間前から現在までの３時間平均雨量が７０［ｍｍ／ｈｒ］となった場合であって、その場合の１時間後におけるダム流入量を予測する場合に、降雨量表示部２３の目盛り７０［ｍｍ／ｈｒ］に一致する予想流入量表示部１２の数値＝５００ｍ3／ｓを読み取ることで、１時間後におけるダム流入量となる計算結果値を取得でき、ダムの水位としての流入量（貯水量）を予測することができる。ダム放流等の洪水対策をとれるようになる。
【００６５】
このように、実施例としての二級ダム流入量予測器１０によれば、貯留関数法を用いて算出された１時間経過後の雨水流入量を示す数値が可動円板２１の円周方向に沿った目盛りに記された予想流入量表示部１２と、この予想流入量表示部１２の内周側の同心円方向に沿って現在のダム流入量を示す数値が目盛りに記されたダム流入量表示部１３とが設けられた基本円板１１と、この基本円板１１に設けられたダム流入量表示部１３の現在の流入量を読み取るための窓部２２と、３時間前から現在に至るまでの平均降雨量を示す数値が基本円板１１の予想流入量表示部１２と対峙するように当該円板２１の円周方向に沿った目盛りに記された降雨量表示部２３とが設けられた可動円板２１とが同軸を中心に回転自在に係合された構造を有するものである。
【００６６】
このような構造によって、可動円板２１の指針２４を窓部２２を通して、ダム流入量表示部１３に目盛りに記された数値を合わせたときの、降雨量表示部２３の目盛りに一致する予想流入量表示部１２の値が１時間後におけるダム流入量として容易に算出できるようになる。これにより、１時間後におけるダム水系への雨水流入量を予測できるようになる。
【００６７】
しかも、予想流入量表示部１２や降雨量表示部２３は、いずれも貯留関数法を用いて記述されているので、予想流入量ソフトを用いて算出した場合と殆ど遜色のない精度でダムへの流入量を予測できる。
【００６８】
また、当該予測器１０では、コンピュータを搭載した端末装置を用いることなく、１時間後におけるダム流入量を素早く求めることができるから、特別な知識・技能を有しなくても誰でも利用できる特徴を有する。更に、その構成も２つの円板を用いるだけであるので、極めて小型、軽量、可搬性に富み、使用する場所の制限を受けないなどの大きな特徴を有する。
【００６９】
また、計測すべきダムの水系に合わせて表示目盛りを変更するだけで、そのダムに適した流入量簡易計算器を構成できるため、汎用性の高いダム流入量簡易予測器等を提供できる。なお、２つの円板をプラスチック材で構成すれば、耐久性に優れた流入量簡易計算器を提供できる。しかも、動力源を一切使用しない携帯便利なダム流入量簡易予測器を提供できる。
【産業上の利用可能性】
【００７０】
本発明は、簡単な操作で、１時間後における当該ダム水系へ流入するダム流入量が予測可能な携帯型の二級ダム流入量予測器に適用して極めて好適である。
【図面の簡単な説明】
【００７１】
【図１】本発明に係る流入量簡易計算器を応用した実施の形態としての二級ダム流入量予測器１０の構成例を示す平面図である。
【図２】二級ダム流量計算に係る流域流入量対流域平均降雨量の関係例を示すグラフ図である。
【図３】二級ダム流量計算に係る流量（Ｓ／Δｔ）−（Ｑ／２）、（Ｓ／Δｔ）＋（Ｑ／２）と、流入量Ｑ［ｍ3／ｓ］との関係例を示すグラフ図である。
【図４】基本円板１１の構成例を示す平面図である。
【図５】可動円板２１の構成例を示す平面図である。
【図６】（Ａ）〜（Ｃ）は、二級ダム流入量予測器１０の組立例を示す工程図である。
【図７】現在の流入量＝５０ｍ3／ｓ時の予想流入量読取例を示す平面図である。
【図８】現在の流入量＝１００ｍ3／ｓ時の予想流入量読取例を示す平面図である。
【符号の説明】
【００７２】
１０・・・二級ダム流入量予測器、１１・・・基本円板（第１の円板）、１２・・・予想流入量表示部、１３・・・ダム流入量表示部、２１・・・可動円板（第２の円板）、２２・・・窓部、２３・・・降雨量表示部、２４・・・指針、１１ａ，２１ａ・・・軸孔、３１・・・ハトメ
【図１】
2007140581.tif 000005
【図２】
2007140581.tif 000006
【図３】
2007140581.tif 000007
【図４】
2007140581.tif 000008
【図５】
2007140581.tif 000009
【図６】
2007140581.tif 000010
【図７】
2007140581.tif 000011
【図８】
2007140581.tif 000012